(57)【要約】【課題】簡単な部材で入力された光信号をファイバ通信標準チャネルに符合する波長に正確に固定できる。【解決手段】回折格子及びエタロンの組合せによって、分割後のビームがエタロンに入射する際に、異なる入射角度を持たせ、それによって異なる光路差を形成させる。異なる連続スペクトルは、計算処理の後、異なる信号の差、又は、比を生じ、この差又は比をサーボ系にフィードバック信号として提供することにより、入射光源の中心波長を固定し、さらに、光信号の半値幅エネルギーを監視している。【選択図】      図２
2004199020.tif 000002
【特許請求の範囲】
【請求項１】
入力される光信号の一部分を入力ビームとして提供するステップと、
回折素子を利用して前記入力ビームを複数の子ビームに分割するステップと、
前記複数の子ビームをエタロンにそれぞれ通過させることにより、異なる連続スぺクトラムを形成させるステップと、
前記連続スぺクトラムをそれぞれ電気信号に変換するステップと、
前記電気信号を比較することにより、前記入力された光信号の中心波長を固定するステップと、
を含むことを特徴とする波長固定の方法。
【請求項２】
前記回折素子は回折格子であり、且つ、前記連続スペクトルは光検出器によって電気信号に変換されることを特徴とする、請求項１に記載の波長固定の方法。
【請求項３】
サーボ系を利用して前記電気信号を比較することにより、フィードバック信号を得るステップと、
前記子ビームの一つを、前記電気信号を比較する際のフラグ、或いは、前記フィードバック信号を正規化処理する際の基準値、とするステップと、
をさらに含むことを特徴とする、請求項１に記載の波長固定の方法。
【請求項４】
前記回折素子は同一の回折角度で前記入力ビームを対となる子ビームに分割し、前記エタロンは一角度回転することにより異なる連続スぺクトラムを形成し、なお、前記エタロンが前記角度を回転していない時に、前記対となる子ビームが前記エタロンを通過して形成する連続スぺクトラムは、いずれも国際電気通信連合ファイバ通信標準チャネル（ＩＴＵ  Ｇｒｉｄ）仕様に符合する連続スぺクトラムであることを特徴とする、請求項１に記載の波長固定の方法。
【請求項５】
前記回折素子が分割を行う前に、前記入力ビームを波長チュ−ナブル・フィルタ素子に通過させるステップと、
前記波長チュ−ナブル・フィルタ素子の鏡面チルトを調節することにより、入射光源のスぺクトラムの半値幅エネルギーを監視するステップと、
をさらに含む波長固定の方法であって、
前記回折素子は、異なる回折角度で、前記入力ビームを複数の子ビームに分割することを特徴とする、請求項１に記載の波長固定の方法。
【請求項６】
前記連続スぺクトラムをそれぞれ電気信号に変換する前記ステップ、及び、前記電気信号を比較することにより、前記入力光信号の中心波長を固定する前記ステップにおいては、
第一子ビームのスぺクトラムのピークを第一電気信号に変換するステップと、
前記第一子ビームと光路差を有する第二子ビームのスぺクトラムのピークと特定比例を示しているスぺクトラム位置での光学的出力密度を第二電気信号に変換するステップと、
前記第二電気信号と前記第一電気信号との比が前記特定比例と同じであるか否かを判断するステップと、
を備えることを特徴とする、請求項５に記載の波長固定の方法。
【請求項７】
入力された光信号の中心波長を固定するための波長固定の装置であって、
前記入力された光信号の一部分を複数の子ビームに分割する回折素子と、
前記複数の子ビームを受信することにより異なる連続スぺクトラムを形成するエタロンと、
前記連続スぺクトラムをそれぞれ電気信号に変換する複数の光検出器と、
前記電気信号を比較することにより、前記入力された光信号の中心波長を固定する一サーボ系と、
を備えることを特徴とする波長固定の装置。
【請求項８】
前記光信号が前記回折素子に入射する前に通過する波長チュ−ナブル・フィルタ素子をさらに備え、前記サーボ系が前記電気信号を比較した後に、フィードバック信号を生じることにより、前記波長チュ−ナブル・フィルタ素子のフィネスを調節し、前記入力された光信号の半値幅エネルギーを監視することを特徴とする、請求項７に記載の波長固定の装置。
【発明の詳細な説明】
【０００１】
【発明の属する技術分野】
本発明は、光ファイバ通信分野における、スペクトル監視に用いる事ができる波長固定の方法及び装置に関し、特に回折素子を利用してエタロン内部に異なる光路差を生じさせる、スペクトル監視に用いる事ができる波長固定の方法及び装置に関する。
【０００２】
【従来の技術】
光ファイバ通信分野において、チュ−ナブル光学素子の応用は幅広い。例えば、チュ−ナブル・フィルターは国際電気通信連合ファイバ通信標準チャネル（ＩＴＵ  Ｇｒｉｄ）の仕様に基づいて調節することができ、必要とする特定波長を得ることができるため、固定波長マルチプレックススプリッタ（ＤＷＤＭ）に取って代わることができる。又、例えば、チュ−ナブル・レーザーは固定波長のレーザー光源に取って代わることができ、大幅に光ファイバ通信システムの応用を広げることができる。
【０００３】
しかし、上記チュ−ナブル光学素子は、その波長の許容性を確保するために、いずれも同一の光通信標準チャンネル仕様に従わなければならない。よって、波長の許容性を満足するために、上記チュ−ナブル光学素子はいずれも特定波長を固定するメカニズムを必要とする。
【０００４】
図１は、従来の波長固定装置を示す図である。図１に示すように、波長固定装置１００は、集光レンズ１０２と、多元格子１０４と、光検出器１０６Ａ、１０６Ｂと、サーボ系１０８と、を備えている。従来のスペクトル監視方法として、まず、一部分の入力された光信号は、集光レンズ１０２によってコリメートされた後、多元格子１０４に入射する。多元格子１０４は、入射光の反射波長がλ１の格子１０４Ａと、入射光の反射波長がλ２の格子１０４Ｂとを有する。この方法は、異なる格子によって反射される特定波長λ１とλ２とが、それぞれ必要とする中心波長λ０と微少な偏移量（λ１＝λ０−Δλ；λ２＝λ０＋Δλ）を持つよう設計されている。格子１０４Ａ及び１０４Ｂによってそれぞれ反射された特定波長の入射光は、光検出器１０６Ａ及び１０６Ｂによって受信された後（即ち、光検出器１０６Ａが波長λ１の入射光を受信し、光検出器１０６Ｂが波長λ２の入射光を受信した後）、さらに、サーボ系１０８によって、両者が計測した信号の差を計算し、この信号の差を誤り信号に転換して発光源（図示せず）にフィードバックする。これにより、発光源が出力する中心波長を固定してスペクトル監視をすることができる。
【０００５】
【発明が解決しようとする課題】
しかし、従来使用される多元格子１０４は、設計上、必要とする特定の中心波長に対し、対応する異なる格子を固定配置しなければならないので、製造プロセスが複雑で、コストも高い。さらに、多元格子１０４内に配置できる対応する格子の数が制限されるため、異なる標準チャンネル仕様を満足できず、実際の運用に制限が生じる。
【０００６】
本発明は、上記問題を鑑みてなされたものであって、その目的は、簡単な部材で、入力された光信号をファイバ通信標準チャネルに符合する波長に正確に固定してスペクトル監視に用いる事ができる波長固定の方法及び装置を提供することにある。
【０００７】
【課題を解決するための手段】
本発明は、回折素子及びエタロンの組合せによるものであり、即ち、回折素子は、光学的出力密度スプリッタのように、異なる回折角度を設計することによって、入射された光ビームを複数の一定の光学的出力密度を有する子ビームに分割している。これらの複数の子ビームは、この入射角度でエタロンを通過してエタロン内部に異なる光路差が生じることにより異なった連続スペクトルが形成され、波長固定時のスペクトルの上下基準値となる。これらの複数の子ビームは、さらに、光検出器によって、これらの異なる入射角度の光信号を電気信号に変換した後、その差をフィードバック信号とする。このフィードバック信号を用いることにより、回折素子によって分割されたビームを利用して、入力された光信号の中心波長を正確にファイバ通信標準チャネルに符合する仕様に固定することが容易に達成できる。
【０００８】
本発明の実施の形態１によれば、回折格子は、同じ回折角度で入力されたビームを、対となる一定光学的出力密度を有する子ビームに分割する。また、エタロンは特定の光学的厚さを有するため、前記対となるビームは、エタロンに導入した後、いずれもファイバ通信標準チャネル仕様に符合するスぺクトラムを濾過する。さらに、エタロンを小角度回転させることにより、対となるビームは、分割後にエタロンに入射する入射角度を変えられ、異なる内部光路差を生じる。
【０００９】
本発明の実施の形態２によれば、まず、チュ−ナブル・ファブリーペロ素子が入力ビームを濾過し、さらに、回折格子が、異なる回折角度によって前記入力ビームを、三つの光強度が一定エネルギー比を有するビームに、分割する。これらビームがそれぞれ異なる入射角度でエタロンに導入されて異なる光路差を生じるので、三つの異なった連続スペクトルが得られる。さらに、光検出器によって上記三つの光信号を三組の電気信号に変換した後、これらの電気信号を使用して特定半値幅エネルギー比を有する誤り信号が生じ、これがサーボ系にフィードバックされる。さらに、サーボ系が、前記フィードバック信号を基にチュ−ナブル・ファブリーペロ素子の反射鏡のチルトを調節してフィネスを変え、入射光信号スペクトルの半値幅エネルギーを監視できる。
【００１０】
さらに、本発明は、分割後の一つのビームを、サーボ系の判断フラグとしてフィードバック信号のゼロ値と対応する連続スペクトルの特定波長が固定したい入力光信号の中心波長値であるか否かの判断に用いている。
【００１１】
また、本発明は、分割後の一つのビームを正規化し、このビームを、前記フィードバック信号を処理する際の参考基準とする。
【００１２】
本発明の設計によれば、コストの低い一般の回折素子のみで、簡単な部材によって生じた光路差を利用して、精確に入射光源の中心波長を固定し、さらに、入射スペクトルの半値幅エネルギーを監視することができる。
【００１３】
【発明の実施の形態】
以下、図面を参照しながら、本発明の好適な実施の形態について説明する。
【００１４】
図２は、本発明の実施の形態１における波長固定の方法を説明する図である。図２（Ａ）に示すように、本発明における波長固定の方法を実施する波長固定装置１０は、回折格子１２と、エタロン１４と、光検出器１６Ａ、１６Ｂと、サーボ系１８とによって構成されている。まず、スプリッタ（図示せず）から入力する光信号を部分的に導入し、波長固定装置１０の入力ビームＩとする。次に、回折格子１２は、入力ビームＩを、光学的出力密度が同じで、且斜めにエタロン１４に入射し通過する二つのビームＰ及びビームＱに同一回折角度で分割する。
【００１５】
本実施の形態１では、波長を精確に国際電気通信連合ファイバ通信標準チャネル（ＩＴＵ  Ｇｒｉｄ）に固定する目的を達成するために、予めエタロン１４を特定の光学的厚さｄ’を有するように設計する必要がある。これにより、ビームＰ及びビームＱは、特定の光学的厚さを有するエタロンの連続スペクトルを通過した後、共にＩＴＵ  Ｇｒｉｄの標準チャネル仕様に符合する。上記特定の光学的厚さは後述する計算によって決定される。
【００１６】
まず、ｄをＩＴＵ  Ｇｒｉｄ仕様に符合する既知のエタロンの光学的厚さとし、ｄ’を本実施の形態１における特定の光学的厚さとし、θを上記回折角度とすると、ＩＴＵ  Ｇｒｉｄの自由スペクトル比は、
ＦＳＲ１＝λ２／２ｄ      （式１）
であり、
斜めに入射するビームＰとビームＱの自由スペクトル比は、
ＦＳＲ２＝λ２／（２ｄ’ｃｏｓθ）  （式２）
であり、
ビームＰ及びビームＱを共にＩＴＵ  Ｇｒｉｄの標準チャネル仕様に符合させるには、ＦＳＲ１＝ＦＳＲ２を満足しなければならないので、（式１）及び（式２）によりこの特定の光学的厚さの値が：
ｄ’＝ｄ／ｃｏｓθ      （式３）
であることが分かる。
【００１７】
本実施の形態１のエタロン１４の光学的厚さが（式３）を満足した際、図３に示すように、ビームＰ及びビームＱがエタロン１４を通過して得られる連続スペクトルは、いずれもＩＴＵ  Ｇｒｉｄの標準チャネル仕様に符合する（ビームＰ及びビームＱのスペクトル波形は、いずれもＩＴＵ  Ｇｒｉｄの標準チャネル仕様に符合する）。
【００１８】
次に、図２（Ｂ）に示すように、エタロン１４を小角度αだけ回転させることにより、ビームＰ及びビームＱがエタロン１４内の光路差に違いを生じさせる。これによりビームＰ及びビームＱがエタロン１４を通過して得られる連続スペクトルは、図４に示すように、ビームＰ及びビームＱの中心波長が標準チャネルの中心波長からそれぞれ前後に少しずれるため、この波長を標準チャネルの中心波長に固定する際の上下基準値とすることができる。そして、光検出器１６Ａ及び１６ＢがそれぞれビームＰ及びＱの光信号を電気信号Ｅ及びＦに変換した後、電気信号ＥとＦとを引き算で計算して得られた差がフィードバック信号ＦＢとされる。さらに、サーボ系を経由して上記フィードバック信号ＦＢを基に、入射光源（図示せず）の中心波長を微調節する。この際、フィードバック信号ＦＢの差がゼロであった場合（Ｅ−Ｆ＝０）は、入力される光信号の中心波長が既にＩＴＵ
Ｇｒｉｄの一標準チャネル上に固定されていることを表わす。
【００１９】
よって、本発明では、回折素子１２とエタロン１４との組合せが、分割後の対となるビームがエタロン１４に入射した後、共にＩＴＵ  Ｇｒｉｄ仕様に符合するスぺクトラムを濾過できるように予め設計される。これにより、エタロン１４を回転させるのみで、ビームがエタロン１４に入射する角度を変化させ、異なる内部光路差を生じることができるので、上記対となるビームが丁度波長固定時のスペクトルの上下基準値となる。よって、このような簡易な設計により、特定の光学的厚さを有するエタロン１４の回転角度を調節するのみで、異なる光路差を利用して、正確に入射光源の中心波長をＩＴＵ  Ｇｒｉｄの標準チャネル仕様に固定できる。
【００２０】
さらに、図５に示すフィードバック信号ＦＢと波長との関係図から、信号Ｅと信号Ｆとの差（透過率）であるフィードバックＦＢがゼロである際に対応する波長が、必ずしも固定したい中心波長値であるとは限らないことが分かる。例えば、図５に示すフィードバックＦＢが共にゼロであるｉポイント及びｊポイントでは、ｉポイントの対応する波長が固定したい中心波長である。この場合、例えば、図６に示すように、回折格子１２が分割を行う際に入力ビームが三つのビームに分割され、上記出力密度が同じである二つの比較的強いビームＰ及びＱの他に、もう一つの比較的弱いビームＲが分割され、さらにもう一つの光検出器１６Ｃが配置されて、光検出器１６ＣがビームＲを電気信号Ａに変換する。信号Ａには最大値ＡＭＡＸ及び最小値ＡＭＩＮの二つの可能性があるため、図５で差が共に丁度ゼロであるｉポイントとｊポイントとに対応し、信号Ａが最大値である条件下で、対応するｉポイントが固定したい波長値である。上記対応関係は図７のスぺクトラム図に示されている。よって、信号Ａは、サーボ系１８の判断フラグとされることができるので、差が共にゼロの信号Ｅ及び信号Ｆが対応する中心波長のうち、どちらが固定したい中心波長値であるかを正確に判別できる。
【００２１】
図８は光検出器１６Ｃのもう一つの配置方法を示す図である。図８に示すように、光検出器１６Ｃはエタロン１４の前に配置される。することにより、入射光は、回折素子１２を通過し、設計された回折角度によって、三つの一定比例の強さを有するＰ、Ｑ、及びＲビームに分割される。この内、Ｐビーム及びＱビームはそれぞれ斜めにエタロン１４に入射して通過する。光検出器１６Ａ及び１６Ｂは、光エネルギーを受信して対応する電気信号Ｅ及びＦに変換する。さらに、電気信号Ｅ及びＦは、サーボ系によって計算された後、入射光源の中心波長の調整に用いられるフィードバック信号ＦＢ（ＦＢ値＝Ｅ−Ｆ）を生じる。フィードバック信号ＦＢは、入射光をＩＴＵ  Ｇｒｉｄ標準チャネル仕様に符合させる。一方、Ｒビームは光検出器１６Ｃを経由して光信号を電気信号Ａに変換する。光検出器は、異なる波長の入射光エネルギーに対して反応が異なるため、フィードバック信号ＦＢの分布は不規則となる。従って、サーボ系がフィードバック信号に対する制御は安定できない。このため、光検出器１６Ｃをエタロン１４の前に配置することにより、Ｒビームから変換した電気信号Ａを入射光源エネルギーの参考基準として、フィードバック信号ＦＢに対して正規化処理を行うことができ、その値を（Ｅ−Ｆ）／Ａの新しいフィードバック信号ＦＢ’に転換することができる。これにより、フィードバック信号ＦＢ’は比較的規則的な分布状態を示すので、サーボ系は、フィードバック信号をより正確に制御し、入射光源の中心波長を固定できる。
【００２２】
図９は、本発明の実施の形態２であるスぺクトラム監視の方法に用いられる、波長固定装置を示した図である。図９に示すように、波長固定装置３０は、回折格子３２と、エタロン３４と、光検出器３６Ａ、３６Ｂ、及び３６Ｃと、サーボ系３８と、チュ−ナブル・ファブリーペロフィルター４０とによって構成されている。
【００２３】
本実施の形態２では、まず、チュ−ナブル・ファブリーペロ素子４０を通過する光信号が、スプリッタ３９によって５％の光学的出力密度を有する光信号として回折格子３２に導入される。、さらに、回折格子３２からの光信号がエタロン３４を通過することによって、図１０に示すような光スぺクトラム半値幅エネルギーの比較的大きい連続スぺクトラムＬが得られる。回折格子３２は、チュ−ナブル・ファブリーペロフィルター４０を通過した入力ビームを、異なる回折角度で三つの一定エネルギー比の光強度を有するビームに分割し、それぞれ異なる入射角度でエタロン３４に入射させる。このようにして、これらのビームがそれぞれ異なる入射角度でエタロン３４に入射した際に、異なる入射角度によって光路差を生じるため、図１０に示す、三つの異なる連続スぺクトラムＭ、Ｎ及びＯを得ることができる。
【００２４】
スぺクトラム監視のメカニズムを詳述する前に、本実施の形態２で採用するチュ−ナブル・ファブリーペロフィルター４０が濾過するスぺクトラムの光学特性を説明する。まず、その光学特性を影響する変数の定義は下記の通りである。
【００２５】
１．自由スぺクトラム比（Ｆｒｅｅ  Ｓｐｅｃｔｒｕｍ  Ｒａｔｉｏ；ＦＳＲ）：
ＦＳＲ＝（λ２）／２ｎＤｏｐ    （式４）
λは中心波長、ｎは屈折率、Ｄｏｐは両反射平面鏡４０Ａと４０Ｂの間の距離である。
【００２６】
２．フィネス（Ｆｉｎｅｓｓｅ；  Ｆ）：
１／Ｆ＝１／ＦＲ＋１／Ｆθ      （式５）
（ＦＲ＝π√Ｒ／１−Ｒ  ；  Ｆθ＝λ／２Ｄθ）
Ｒは両反射平面鏡４０Ａ及び４０Ｂの反射率、Ｄはエタロン３４の光を通過させる口径、θは平面鏡のチルトである。
【００２７】
３．半値幅エネルギー（ＦＷＨＭ）：
ＦＷＨＭ＝ＦＳＲ／Ｆ      （式６）
従来の光ファイバ通信システムの応用において、スぺクトラムの半値幅エネルギーは設計上もっとも重要な変数である。例えば、光ファイバ通信ＩＴＵ１００ＧＨＺ仕様によると、上記チュ−ナブル・ファブリーペロフィルターを通過した後の射出光の特定波長λｉを、波長範囲が１５２５ｎｍ〜１５６５ｎｍのＣバンドの中心波長λ即ち、１５５０ｎｍであると同じにするために、射出光のスぺクトラムは、半値幅エネルギーが０．３７ｎｍで、且、自由スぺクトラム比ＦＳＲが少なくとも４０ｎｍであるという条件を満たさなければならない。
【００２８】
よって、本発明における実施の形態２の方法としては、光信号伝送時にシステムが入力光源の半値幅エネルギーを即時に監視することを制御することにある。図１０に示すように、三つのビームがそれぞれ異なる入射角度でエタロン３４に入射するため、その光路差によって、三つの位相が順次に変化するスぺクトラムＭ、Ｎ及びＯを得ることができる。光検出器３６Ａ、３６Ｂ及び３６Ｃが上記三つの連続スぺクトラムを三つの異なる電気信号Ｗ、Ｘ及びＹに変換する際に、本実施の形態２では、電気信号Ｗ及び信号Ｙを、それぞれスぺクトラムＭ及びＯの半値幅位置（図１０に示すスぺクトラム透過率が０．５の位置）の光学的出力密度から変換した値に設定し、電気信号Ｘを中間位相に位置するスぺクトラムＮの波峰位置の光学的出力密度から変換した値に設定している。このため、信号Ｘと信号Ｗとの比が２であった場合は、チュ−ナブル・ファブリーペロフィルター４０を通過するスぺクトラムＬに対応する信号Ａの半値幅エネルギーが光信号伝送時に大きく、又は小さく変化していないことを表わし、この際の信号の比はサーボ系にフィードバックされ、光信号の半値幅エネルギー値の調節に用いられる。信号Ｘと信号Ｗとの比が２でなかった場合は、温度、又は、その他のシステムの要素に変化が生じたため、チュ−ナブル・ファブリーペロフィルター４０を通過するスぺクトラムＬの中心波長の半値幅エネルギーが大きく、又は、小さく変化したことを表わす。
【００２９】
（式６）半値幅エネルギーＦＷＨＭ＝ＦＳＲ／Ｆから、半値幅エネルギーはフィネスＦを調節することによって補うことができることが分かる。更に、（式５）から、反射鏡４０Ａ又は４０Ｂのチルトθを調節することでフィネスＦを変えることができることが分かる。よって、サーボ系３８は、電気信号Ｘと信号Ｗとの比、及び信号Ｘと信号Ｙとの比、それぞれを比べ、その値が２でなかった場合、誤り信号をフィードバックし、即時に４０Ａ或いは４０Ｂのチルトθを調節し、フィネスＦを変えて、スペクトルを必要とする半値幅エネルギーに正確に調節する。
【００３０】
さらに、本実施の形態２において、信号Ｗ及びＹ、並びにスペクトルＭ及びＯの転換の際、スペクトルＭ及びＯの半値幅位置を選択することに限ることなく、任意の位置、例えば、スペクトルＭ及びＯのピークの１／３の位置を選択することができる。電気信号ＸがスペクトルＮのピーク位置における光学的出力密度の値に設定されている際に、更に信号Ｘと信号Ｗとの比、及び信号Ｘと信号Ｙとの比が３であるかどうかによって、誤り信号がフィードバックされる。即ち、特定比例の関係さえ満足すれば、サーボ系は、それらの信号の比によって光信号の半値幅エネルギーを調節できる。
【００３１】
上記本発明の異なる実施の形態から分かるように、本発明は回折格子及びエタロンの組合せによって、分割後のビームがエタロンに入射する際に、異なる入射角度を持たせ、それによって異なる光路差を形成させる。異なる連続スペクトルは、計算処理の後、異なる信号の差、又は、比を生じ、この差又は比をサーボ系にフィードバック信号として提供することにより、入射光源の中心波長を固定し、さらに、光信号の半値幅エネルギーを即時に監視している。
【００３２】
前記実施の形態による説明は、本発明の内容を簡単に説明するための内容に過ぎず、本発明をそれらの構造に狭義的に制限するものではない。本発明の要旨を逸脱しない範囲の設計変更等があっても本発明に含まれる。
【００３３】
【発明の効果】
本発明の設計によれば、コストの低い一般の回折素子のみで、かつ簡単な部材によって生じた光路差を利用して、入射光源を中心波長に正確に固定し、さらに、入射スペクトルの半値幅エネルギーを監視することができる。
【図面の簡単な説明】
【図１】従来の波長固定装置を示す図である。
【図２】本発明の実施の形態１における波長固定方法を説明する、エタロンが入力ビームに垂直を成す図（Ａ）と回転角度α有する図（Ｂ）である。
【図３】本発明の実施の形態１において、エタロンが角度回転していない際の、ビームＰとビームＱとＩＴＵ  Ｇｒｉｄ標準チャネルのスぺクトラムとが重なっていることを示す図である。
【図４】本発明の実施の形態１において、エタロンが角度α回転した後の、ビームＰとビームＱとＩＴＵ  Ｇｒｉｄ標準チャネルのスぺクトラムとを示す図である。
【図５】本発明の実施の形態１において、フィードバック信号ＦＢと対応する波長との関係を示す図である。
【図６】フィードバック信号ＦＢのゼロ値が固定したい中心波長であるか否かを判断する実施の形態を示す図である。
【図７】フラグ信号Ａとフィードバック信号ＦＢのゼロ値との対応関係を示す図である。
【図８】本発明における光検出器１６Ｃのもう一つの配置方法を示す図である。
【図９】本発明の実施の形態２におけるスぺクトラム監視の方法を説明する図である。
【図１０】本発明の実施の形態２において、分割後のビームがエタロンを通過した後のスぺクトラムを示す図である。
【符号の説明】
１０、３０    波長固定装置
１２、３２    回折格子
１４、３４    エタロン
１６Ａ、１６Ｂ、１６Ｃ、３６Ａ、３６Ｂ、３６Ｃ    光検出器
１８、３８    サーボ系
３９      スプリッタ
４０      チュ−ナブル・ファブリーペロ素子
【図１】
2004199020.tif 000003
【図２】
2004199020.tif 000004
【図３】
2004199020.tif 000005
【図４】
2004199020.tif 000006
【図５】
2004199020.tif 000007
【図６】
2004199020.tif 000008
【図７】
2004199020.tif 000009
【図８】
2004199020.tif 000010
【図９】
2004199020.tif 000011
【図１０】
2004199020.tif 000012